(57)【特許請求の範囲】
【請求項１】
夫々少なくとも色材と液媒体と界面活性剤とを有する、シアンインク、マゼンタインク及びイエローインクの３色のインクを含む複数の色のインクから選択される少なくとも２種類の色のインクを重ね合わせて２次色画像を形成するインクジェット記録方法において、
上記界面活性剤が、下記一般式（Ｉ）で表されるノニオン系界面活性剤であり、
２次色画像を形成する際に１番目に被記録材上に付着されるインク中の色材が、窒素原子を有する色材であって、
２次色画像を形成する際に２番目以降に被記録材上に付着されるインク中の色材が、窒素原子を有さない色材のみであり、
界面活性剤の含有量の多いインクから順に被記録材上にインクを付着させることを特徴とするインクジェット記録方法。
【化１】
0003715728.tif 000026
（ａ及びｂは１〜３の整数であり、ｄ及びｅは２〜４の整数であり、ｎ＋ｍは０〜５０である。）
【請求項２】
一般式（Ｉ）中のｎ及びｍが、ｎ＋ｍ＝０〜２０の関係にある請求項１に記載のインクジェット記録方法。
【請求項３】
イエローインク中の色材、及びマゼンタインク中の色材が、窒素原子を有さない色材である請求項１又は２に記載のインクジェット記録方法。
【請求項４】
イエローインク中の色材が、油溶染料である請求項１〜３の何れか１項に記載のインクジェット記録方法。
【請求項５】
マゼンタインク中の色材が、酸性染料である請求項１〜４の何れか１項に記載のインクジェット記録方法。
【発明の詳細な説明】
【０００１】
【発明の属する技術分野】
本発明はインクジェット記録方法に関し、更に詳しくは、オフィス等で使用される普通紙、特に中性紙化された普通紙等に対して、高画質な記録を行うことができるインクジェット記録方法に関する。
【０００２】
【従来の技術】
従来から、筆記具用インク、インクジェット用インク、インクジェット記録方法について、実に様々なインク組成及び記録方法が報告されている。中でも近年、インクジェット記録による高画質化が注目を集めており、インクの組成、物性及び記録方法等、多様な面から詳細な研究開発がなされている。
【０００３】
例えば、特開平５−１９４８９３号公報には、水性インク中に界面活性剤を臨界ミセル濃度になるまで含有させることにより、被記録材上に形成される記録画像における耐フェザリング性を向上させ、且つ、カラー画像を形成した場合には異なった色調を有する複数のインクの付与領域間で発生する異色インクの境間滲みを防止する（以後、耐ブリード性と呼ぶ）提案がなされている。
【０００４】
【発明が解決しようとする課題】
しかしながら、上記のようなインクにおいては、確かに単色における耐フェザリング性及び耐ブリード性は格段に向上するが、複数のインクを重ねることによって形成される２次色においては、耐フェザリング性及び耐ブリード性は充分とはいえず、特に、一般のオフィス等で用いられている普通紙が中性紙化されている現在、従来使用されていた酸性紙に画像を形成した場合よりも更に記録画像が見劣りするようになっているのが現状である。
従って、本発明の目的は、上記問題点を改善し、複数の色のインクを重ねることによって形成される２次色の記録画像における耐フェザリング性及び耐ブリード性を向上させることのできるインクジェット記録方法を提供することにある。又、被記録材として中性紙を用いた場合にも、複数の色のインクを重ねることによって形成される２次色の耐フェザリング性及び耐ブリード性を向上させることができ、高品位画像を形成することの出来るインクジェット記録方法を提供することにある。
【０００５】
【課題を解決するための手段】
上記目的は、以下の本発明によって達成される。即ち、本発明は、夫々少なくとも色材と液媒体と界面活性剤とを有する、シアンインク、マゼンタインク及びイエローインクの３色のインクを含む複数の色のインクから選択される少なくとも２種類の色のインクを重ね合わせて２次色画像を形成するインクジェット記録方法において、上記界面活性剤が、下記一般式（Ｉ）で表されるノニオン系界面活性剤であり、２次色画像を形成する際に１番目に被記録材上に付着されるインク中の色材が、窒素原子を有する色材であって、２次色画像を形成する際に２番目以降に被記録材上に付着されるインク中の色材が、窒素原子を有さない色材のみであり、界面活性剤の含有量の多いインクから順に被記録材上にインクを付着させることを特徴とするインクジェット記録方法である。
0003715728.tif 000002
（ａ及びｂは１〜３の整数であり、ｄ及びｅは２〜４の整数であり、ｎ＋ｍは０〜５０である。）
【０００６】
【発明の実施の形態】
以下に、好ましい実施の形態を挙げて、本発明を更に詳細に説明する。
先ず、本発明の作用について説明する。本発明者らは、上記した従来技術の問題点を解決すべく、水溶性インクを用いたインクジェット記録における高画質なカラー画像を得るために、様々なインク及びインクジェット記録方法について鋭意検討を行った結果、下記のことを知見して本発明を完成した。即ち、少なくともシアンインク、マゼンタインク及びイエローインクの３色を含む複数の色のインクを用いてカラー画像を形成するインクジェット記録方法において、これら複数のインク中に互いに異なる含有量の界面活性剤を夫々含有させておき、且つこれらのインクから選択される少なくとも２種類の色のインクを重ね合わせて被記録材上に２次色画像を形成する際に、特定の構造を有する色材を用い、更に、インク中の界面活性剤の含有量が多いインクから順に被記録材上にインクを付着させて画像を形成すれば、得られる２次色画像がフェザリング及びブリードのない高品位画像となる。
上記した構成の本発明のインクジェット記録方法を用いて２次色画像を形成した場合に、耐フェザリング性及び耐ブリード性が良好になる理由は未だ明白ではない。
【０００７】
以下に、本発明のインクジェット記録方法を構成するインクの材料及び記録手順等について説明する。本発明のインクジェット記録方法では、複数の色のインクを用いるが、先ず、この際に用いられる複数のインク中に夫々含有される界面活性剤について説明する。本発明で使用する界面活性剤は、複数のインクに対して異なる種類の界面活性剤を夫々のインクに用いてもよいが、同じ種類の界面活性剤を用いた方が、より耐フェザリング性及び耐ブリード性を向上させることができるため好ましい。
【０００８】
更に、本発明において使用する界面活性剤は、水溶性であり、インクの親和性を適宜に調整することが容易である為、ノニオン系界面活性剤を用いる。特に、下記に挙げる一般式（Ｉ）の化合物は、水によく溶け親水性と疎水性とのバランスがよい為、本発明において界面活性剤として使用される。更に、本発明においては、下記一般式（Ｉ）中のｎ及びｍが、ｎ＋ｍ＝０〜２０の関係にある化合物を使用すると、上記した本発明の効果をより効果的に得ることが出来る。又、本発明で使用する界面活性剤のＨＬＢとしては、５〜１０の範囲のものを用いることが特に好ましいが、界面活性剤の選択にあたっては、インクの用途や目的によって、例えば、被記録材の種類等に応じて適宜に選択すればよい。
【０００９】
【化２】
0003715728.tif 000003
（ａ及びｂは１〜３の整数であり、ｄ及びｅは２〜４の整数であり、ｎ＋ｍは０〜５０である。）
【００１０】
又、本発明において使用する上記した様な界面活性剤のインク中の含有量は、被記録材料等の種類により変化するが、好ましくは０．０１〜２０重量％の範囲、更に好ましくは０．１〜１０重量％の範囲とする。更に、本発明においては、この範囲内で各インクに含有させる界面活性剤の量を、被記録材に付着させる順に、例えば、第１のインク（シアンインク）＞第２のインク（マゼンタインク）＞第３のインク（イエローインク）となるように調整すればよい。本発明においては、この様に界面活性剤の含有量を調整された複数のインクを使用してインクジェット記録が行われる結果、被記録材に付着されるインク中の界面活性剤の量が、順次減量され、耐フェザリング性及び耐ブリード性が向上する。
【００１１】
本発明のインクジェット記録方法に使用されるインク中の色材としては、特に制限はなく、各種の染料や顔料を用いることができる。しかし、本発明の効果及び色材の特性を考慮した場合、２次色画像を形成する際に２番目以降に被記録材上に付着されるインク中の色材としては、窒素原子を有さない色材を用いる。又、窒素原子を有さない色材は、被記録材上で発色が良好であるという利点もある。
【００１２】
本発明においては、被記録材上にシアンインク、マゼンタインク、イエローインクの順にインクを付着させることが好ましい。又、この際に、最後に付着させるイエローインクには、窒素原子を有さない色材を用いる。イエローインクに好ましく使用される色材としては、例えば、Ｃ．Ｉ．ソルベントグリーン７等の油溶性染料や、或いは水溶性基で表面処理をした（ミセル化した）顔料等が挙げられる。Ｃ．Ｉ．ソルベントグリーン７は、蛍光染料であり、その色調は薄い蛍光色のイエローを有し、その構造は、以下に示す如きであり、窒素原子を含まない色材である。
【００１３】
【化３】
0003715728.tif 000004
【００１４】
又、２番目に付着させるマゼンタインクに使用する色材としても、窒素原子を有さない色材を用いる。先に述べた様に、窒素原子を有さない色材は、被記録材上で発色が良好であるという利点がある。マゼンタインクに使用する好ましい色材としては、例えば、下記の構造を有する窒素原子を含まないＣ．Ｉ．アシッドレッド９２、Ｃ．Ｉ．アシッドレッド９４等の酸性染料や、水溶性基で表面処理をした（ミセル化した）顔料等を使用することが好ましい。
【００１５】
【化４】
0003715728.tif 000005
【００１６】
又、最初に付着させるシアンインクに使用する色材には、窒素原子を有する色材を用いる。シアンインク中に含有させる色材としては、例えば、下記の構造を有するＣ．Ｉ．アシッドブルー９等の酸性染料や、Ｃ．Ｉ．ダイレクトブルー１９９等の色材が挙げられる。本発明においては、特に、下記に示すＣ．Ｉ．ダイレクトブルー１９９等の銅フタロシアニン系の色材を用いることが好ましい。
【００１７】
【化５】
0003715728.tif 000006
上記のような色材の含有量としては、一般にはインク全量に対して、好ましくは０．１〜１５重量％、より好ましくは０．１〜１０重量％の範囲である。
【００１８】
本発明で使用されるインクは、少なくとも上記した界面活性剤及び色材と液媒体とからなるが、本発明で使用される液媒体としては、水と水溶性有機溶剤との混合物であることが好ましい。この際に使用される水溶性有機溶剤としては、具体的には例えば、ジメチルホルムアミド、ジメチルアセトアミド等のアミド類；アセトン等のケトン類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオール、チオジグリコール、ヘキシレングリコール、ジエチレングリコール等のアルキレン基が２〜６個の炭素原子を含むアルキレングリコール類；グリセリン、ポリグリセリン、グリセリンのエチレンオキサイド付加物；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；Ｎ−メチル−２−ピロリドン、１，３−ジメチル−２−イミダゾリジノン、トリエタノールアミン、スルホラン、ジメチルサルフォキサイド、２−ピロリドン、ε−カプロラクタム等の環状アミド化合物及びスクシンイミド等のイミド化合物等が挙げられる。
【００１９】
上記した水溶性有機溶剤のインク中の含有量は、一般には、インクの全重量に対して重量％で、１〜４０％が好ましく、より好ましくは３％〜３０％の範囲である。又、インク中の水の含有量としては、インク全量に対して、好ましくは３０〜９５重量％の範囲でである。インク中に含まれる水の量が３０重量％より少ないと色材の溶解性等が悪くなり、インクの粘度も高くなるために好ましくない。一方、９５重量％より多いと蒸発成分が多すぎて、充分な固着特性を満足することができない。
【００２０】
又、本発明において使用するインク中にはｐＨ調整剤を添加してもよい。この際に使用されるｐＨ調整剤としては、例えば、トリエタノールアミン、エトキシエタノールアミン、ジエタノールエチルアミン等のアルコールアミンやアンモニアが挙げられる。更に、必要に応じてインク中に、水溶性ポリマー、キレート剤、蒸発促進剤、還元防止剤、酸化防止材、防カビ材、防腐剤、防錆剤等を添加してもよい。
【００２１】
本発明のインクジェット記録方法においては、上記した様な成分からなるインクを、インクジェット記録方式で被記録材上に付着させて画像を形成するが、インクジェット記録方式として、熱によって発生したエネルギーによるインクの発泡現象によりインクを吐出させるタイプのインクジェット記録方式を適用することが好ましい。即ち、上記した様な構成のインクに上記方式のインクジェット記録方式を適用すると、インクの吐出が極めて安定であり、サテライトドットの発生等が生じないという特徴がある。但し、この場合には、熱的な物性値（例えば、比熱、熱膨張係数、熱伝導率等）を調整する必要がある場合もある。
【００２２】
更に、本発明においては、普通紙に記録した場合の印字記録物のインクの耐水性の問題を解決すると同時に、インクジェット用ヘッドに対するマッチングを良好にする面から、使用するインクが、インク自体の物性として２５℃における表面張力が３０〜６８ｄｙｎ／ｃｍ、粘度が１００ｃＰ以下、好ましくは５０ｃＰ以下、より好ましくは３０ｃＰ以下に調整されることが望ましい。
【００２３】
尚、本発明において使用するインクは、熱エネルギーの作用により液滴を吐出させて記録を行うインクジェット記録方法にとりわけ好適に用いられるが、一般の筆記用具としても使用できる。
【００２４】
本発明のインクジェット記録方法で好適に使用し得るインクジェット記録装置としては、記録ヘッドの室内のインクに、記録信号に対応した熱によって発生したエネルギーを与え、該熱によって発生したエネルギーによりインクを吐出させる装置が挙げられるが、以下、このようなインクジェット記録装置の一例を図を参照しながらに説明する。先ず、該装置の主要部であるヘッド構成例を、図１、図２及び図３に示す。
【００２５】
ヘッド１３は、インクを通す溝１４を有するガラス、セラミック又はプラスチック板等と、感熱記録に用いられる発熱ヘッド１５（図では薄膜ヘッドが示されているが、これに限定されるものではない）とを接着して得られる。発熱ヘッド１５は、酸化シリコン等で形成される保護膜１６、アルミニウム電極１７−１及び１７−２、ニクロム等で形成される発熱抵抗体層１８、蓄熱層１９、及びアルミナ等の放熱性のよい基板２０よりなっている。
【００２６】
インク２１は吐出オリフィス（微細孔）２２まで来ており、不図示の圧力によりメニスカス２３を形成している。
今、アルミニウム電極１７−１及び１７−２に電気信号情報が加わると、発熱ヘッド１５のｎで示される領域が急激に発熱し、ここに接しているインク２１に気泡が発生し、その圧力でメニスカス２３が突出し、インク２１が吐出しインク小滴２４となり、吐出オリフィス２２より被記録材２５に向かって飛翔する。
【００２７】
図３には図１に示すヘッドを多数並べたマルチヘッドの外観図を示す。該マルチヘッドはマルチ溝２６を有するガラス板２７と、図１で説明したものと同様の発熱ヘッド２８を密着して作製されている。
尚、図１は、インク流路に沿ったヘッド１３の断面図であり、図２は図１のＡ−Ｂ線での断面図である。
【００２８】
図４に、上記ヘッドを組み込んだインクジェット記録装置の一例を示す。
図４において、６１はワイピング部材としてのブレードであり、その一端はブレード保持部材によって保持されて固定端となり、カンチレバーの形態をなす。ブレード６１は記録ヘッド６５による記録領域に隣接した位置に配置され、又、本例の場合、記録ヘッド６５の移動経路中に突出した形態で保持される。
６２は記録ヘッド６５の吐出口面のキャップであり、ブレード６１に隣接するホームポジションに配置され、記録ヘッド６５の移動方向と垂直な方向に移動して、インク吐出口面と当接し、キャッピングを行う構成を備える。更に、６３はブレード６１に隣接して設けられるインク吸収体であり、ブレード６１と同様、記録ヘッド６５の移動経路中に突出した形態で保持される。
【００２９】
上記ブレード６１、キャップ６２及びインク吸収体６３によって吐出回復部６４が構成され、ブレード６１及びインク吸収体６３によってインク吐出口面の水分、塵埃等の除去が行われる。
６５は吐出エネルギー発生手段を有し、吐出口を配した吐出口面に対向する被記録材にインクを吐出して記録を行う記録ヘッド、６６は記録ヘッド６５を搭載してその移動を行うためのキャリッジである。
キャリッジ６６はガイド軸６７と摺動可能に係合し、キャリッジ６６の一部はモーター６８によって駆動されるベルト６９と接続（不図示）している。これによりキャリッジ６６はガイド軸６７に沿った移動が可能となり、記録ヘッド６５による記録領域及びその隣接した領域の移動が可能となる。
【００３０】
５１は被記録材を挿入するための給紙部、５２は不図示のモーターにより駆動する紙送りローラーである。これらの構成によって記録ヘッド６５の吐出口面と対向する位置へ被記録材が給紙され、記録が進行するにつれて排紙ローラー５３を配した排紙部へ排紙される。
【００３１】
上記構成において記録ヘッド６５が記録終了等でホームポジションに戻る際、吐出回復部６４のキャップ６２は記録ヘッド６５の移動経路から退避しているが、ブレード６１は移動経路中に突出している。この結果、記録ヘッド６５の吐出口面がワイピングされる。尚、キャップ６２が記録ヘッド６５の吐出口面に当接してキャッピングを行う場合、キャップ６２は記録ヘッドの移動経路中に突出する様に移動する。
【００３２】
記録ヘッド６５がホームポジションから記録開始位置へ移動する場合、キャップ６２及びブレード６１は、上述したワイピング時の位置と同一の位置にある。この結果、この移動においても記録ヘッド６５の吐出口面はワイピングされる。
上述の記録ヘッド６５のホームポジションへの移動は、記録終了時や吐出回復時ばかりでなく、記録ヘッド６５が記録のために記録領域を移動する間に所定の間隔で記録領域に隣接したホームポジションへ移動し、この移動に伴って上記ワイピングが行われる。
【００３３】
図５は、ヘッドにインク供給部材、例えば、チューブを介して供給されるインクを収容したインクカートリッジの一例を示す図である。
ここで、４０は供給用インクを収容したインク収容部、例えば、インク袋であり、その先端にはゴム製の栓４２が設けられている。この栓４２に針（不図示）を挿入することにより、インク袋４０中のインクをヘッドに供給可能ならしめる。４４は廃インクを受容するインク吸収体である。
インク吸収部としては、インクとの接液面がポリオレフィン、特にポリエチレンで形成されているものが本発明にとって好ましい。
【００３４】
本発明で使用されるインクジェット記録装置としては、上記のごときヘッドとインクカートリッジとが別体となったものに限らず、図６に示すごときそれらが一体になったものにも好適に用いられる。
図６において、７０は記録ユニットであって、この中にはインクを収容したインク収容部、例えば、インク吸収体が収納されており、かかるインク吸収体中のインクが複数のオリフィスを有するヘッド部７１からインク滴として吐出される構成になっている。
【００３５】
インク吸収体の材料としては、ポリウレタン、セルロース又はポリビニルアセタールを用いることが本発明にとって好ましい。７２は記録ユニット内部を大気に連通させるための大気連通口である。この記録ユニット７０は、図４で示す記録ヘッドに代えて用いられるものであって、キャリッジ６６に対し着脱自在になっている。
【００３６】
【実施例】
次に、実施例、参考例及び比較例を挙げて本発明をより具体的に説明する。
各実施例、参考例及び比較例で夫々使用したインクの成分を下記に示したが、インクの作製にあたっては、これらの成分を混合し、充分に撹拌して溶解させた後、ポアサイズが０．４５μｍのフロロポアフィルター（商品名、住友電工（株）製）にて加圧濾過を行ってインクを夫々作製した。比較例では、界面活性剤の含有量を変えた以外は、色材等の成分は夫々の実施例及び参考例と同様の組成とし、最終的に水で調整した。表１に、各実施例、参考例及び比較例で使用した各インクの色材と界面活性剤の含有量をまとめて示した。
尚、文中「部」及び「％」とあるのは、特に断りのない限り重量基準である。
【００３７】
参考例１
（シアンインクの組成）
・Ｃ．Ｉ．アシッドブルー９（下記に構造式を示す）              ２．０部
・グリセリン                                                １０．０部
・チオジグリコール                                          １０．０部
・一般式（Ｉ）の化合物（ｎ＋ｍ＝１０、ａ＝２、ｂ＝２、ｃ＝３、ｄ＝３）
１．５部
・純水                                                      ７６．５部
【００３８】
【化６】
0003715728.tif 000007
【００３９】
0003715728.tif 000008
【００４０】
【化７】
0003715728.tif 000009
【００４１】
0003715728.tif 000010
【００４２】
【化８】
0003715728.tif 000011
【００４３】
参考例２
（シアンインクの組成）
・Ｃ．Ｉ．ダイレクトブルー１９９（下記に構造式を示す）        １．５部
・ジグリセリン                                                ８．０部
・尿素                                                        ８．０部
・一般式（Ｉ）の化合物（ｎ＋ｍ＝１０、ａ＝２、ｂ＝２、ｃ＝３、ｄ＝３）
２．０部
・純水                                                      ８０．５部
【００４４】
【化９】
0003715728.tif 000012
【００４５】
0003715728.tif 000013
【００４５】
【化１０】
0003715728.tif 000014
【００４６】
0003715728.tif 000015
【００４７】
【化１１】
0003715728.tif 000016
【００４８】
実施例１
（シアンインクの組成）
・Ｃ．Ｉ．ダイレクトブルー１９９（参考例２で使用のものと同様）１．５部
・グリセリン                                                １０．０部
・尿素                                                      １０．０部
・一般式（Ｉ）の化合物（ｎ＋ｍ＝１０、ａ＝２、ｂ＝２、ｃ＝３、ｄ＝３）
１．０部
・純水                                                      ７７．５部
【００４９】
（マゼンタインクの組成）
・Ｃ．Ｉ．アシッドレッド９２（参考例２で使用のものと同様）    ２．０部
・グリセリン                                                １０．０部
・尿素                                                      １０．０部
・一般式（Ｉ）の化合物（ｎ＋ｍ＝１０、ａ＝２、ｂ＝２、ｃ＝３、ｄ＝３）
０．７部
・純水                                                      ７７．３部
【００５０】
0003715728.tif 000017
【００５１】
【化１２】
0003715728.tif 000018
【００５２】
0003715728.tif 000019
【００５３】
0003715728.tif 000020
【００５４】
0003715728.tif 000021
【００５５】
【表１】
0003715728.tif 000022
【００５６】
［記録］
次に、上記で得られた各インクを用いてインクジェット記録方式によって記録画像を形成した。その際に使用したインクジェット記録装置としては、発熱素子をインクの吐出エネルギー源として利用したオンデマンド型インクジェットプリンタとして、（ａ）ＢＪＣ６００（商品名、キヤノン（株）製）、（ｂ）ＢＪＣ４０００（商品名、キヤノン（株）製）、及び（ｃ）ＢＪＣ２１０（商品名、キヤノン（株）製）の３種類の機種を用いた。そして、上記で得られた各インクをこれらのオンデマンド型インクジェットプリンタに搭載して記録画像を形成した。この際、２次色の画像を作成する際に、被記録材上に３色のインクを付着させる順番が、いずれの場合にも必ず、マゼンタインク及びイエローインクよりもシアンインクが先で、イエローインクよりもマゼンタインクの方が先に付着されるようにして画像を形成した。得られた画像について、下記の方法及び基準で評価を行った。その結果を表２〜４に示した。
【００５７】
［評価及び評価基準］
（１）２次色の耐フェザリング性（Ｒ、Ｇ、Ｂ）
（ａ）、（ｂ）及び（ｃ）の各プリンタで用いられるインクカートリッジに所定のインクを充填して、市販の酸性紙及び中性紙に、シアンインクとイエローインクとを重ねて付着させて緑色の英数文字を、イエローインクとマゼンタインクとを重ねて付着させて赤色の英数文字を、及びマゼンタインクとシアンインクとを重ねて付着させて青の英数文字を印字し、顕微鏡及び目視で観察し、以下の基準に従い評価した。
◎：文字がシャープでヒゲ状の滲みがない。
○：文字はシャープだがヒゲ状の滲みが少し発生、又は文字のシャープさが少し欠けるがヒゲ状の滲みがない。
△：文字にシャープさがない、又はヒゲ状の滲みが少し多い。
×：文字にシャープさがなく、ヒゲ状の滲みも多い。
【００５８】
（２）２次色の耐フェザリング性（プロセスブラック）
（ａ）、（ｂ）及び（ｃ）の各プリンタを用いて、これらのプリンタのインクカートリッジに所定のインクを充填して、市販の酸性紙及び中性紙に、シアン、マゼンタ及びイエローの３種のインクを重ねて付着させてプロセスブラックの英数文字を印字し、顕微鏡及び目視で観察し、以下の基準に従い評価した。
◎：文字がシャープでヒゲ状の滲みがない。
○：文字はシャープだがヒゲ状の滲みが少し発生、又は文字のシャープさが少し欠けるがヒゲ状の滲みがない。
△：文字にシャープさがない、又はヒゲ状の滲みが少し多い。
×：文字にシャープさがなく、ヒゲ状の滲みも多い。
【００５９】
（３）耐ブリード性
（ａ）、（ｂ）及び（ｃ）の各プリンタで用いられるインクカートリッジに所定のインクを充填して、市販の酸性紙及び中性紙に、シアンとプロセスブラック、マゼンタとプロセスブラック、及びイエローとプロセスブラックの色のインクの境界を持つ画像を記録し、顕微鏡及び目視でその境界部を観察し、以下の基準に従い評価した。
◎：境界部がシャープでヒゲ状の滲みがない。
○：境界部がシャープであるがヒゲ状の滲みがある。
△：境界部にシャープさがない。
×：境界部にシャープさがなく、ヒゲ状の滲みも多い。
【００６０】
【表２】
0003715728.tif 000023
【００６１】
【表３】
0003715728.tif 000024
【００６２】
【表４】
0003715728.tif 000025
【００６３】
【発明の効果】
以上説明したように、本発明によれば、少なくとも、シアンインク、マゼンタインク及びイエローインクの３色のインクを用いてカラー画像を形成する場合に、インク中の界面活性剤の含有量が多いインクから順に被記録材へ付着して記録を行うことによって、被記録材が普通紙である場合のみならず中性紙である場合にも、形成される２次色のインク画像の耐フェザリング性及び耐ブリード性を向上させることができる。
【図面の簡単な説明】
【図１】インクジェット記録装置のヘッドの縦断面図である。
【図２】インクジェット記録装置のヘッドの横断面図である。
【図３】図１に示したヘッドをマルチ化したヘッドの外観斜視図である。
【図４】インクジェット記録装置の一例を示す斜視図である。
【図５】インクカートリッジの縦断面図である。
【図６】記録ユニットの一例を示す斜視図である。
【符号の説明】
１３：ヘッド
１４：インク溝
１５：発熱ヘッド
１６：保護膜
１７−１、１７−２：アルミニウム電極
１８：発熱抵抗体層
１９：蓄熱層
２０：基板
２１：インク
２２：吐出オリフィス（微細孔）
２３：メニスカス
２４：インク小滴
２５：被記録材
２６：マルチ溝
２７：ガラス板
２８：発熱ヘッド
４０：インク袋
４２：栓
４４：インク吸収体
４５：インクカートリッジ
５１：給紙部
５２：紙送りローラー
５３：排紙ローラー
６１：ブレード
６２：キャップ
６３：インク吸収体
６４：吐出回復部
６５：記録ヘッド
６６：キャリッジ
６７：ガイド軸
６８：モーター
６９：ベルト
７０：記録ユニット
７１：ヘッド部
７２：大気連通口
【図１】
0003715728.tif 000027
【図２】
0003715728.tif 000028
【図３】
0003715728.tif 000029
【図４】
0003715728.tif 000030
【図５】
0003715728.tif 000031
【図６】
0003715728.tif 000032